(57)【要約】【課題】従来のアナログ・デジタルチューナを備えたＴＶ放送受信制御装置の制御プログラムを大幅に変更せずに用いて制御することができるデジタルチューナのみを備えたＴＶ放送受信制御装置及び制御方法を提供する。【解決手段】制御部２はチューナコントローラ１２からのＡＣＫと呼ばれる応答信号が入力されるかどうか判断する（ステップＳ１３）。制御部２がＡＣＫ信号を受信できない場合（ステップＳ１３でＮＯの場合）、制御部２はチューナセット１がアナログチューナ９１を備えていないと認識し、制御プログラム記憶部４より、デジタル制御プログラムを読み出し（ステップＳ１７）、地上波デジタル放送を受信するための受信設定を行う（ステップＳ１６）。【選択図】図２
2008131263.tif 000002
【特許請求の範囲】
【請求項１】
少なくとも地上波デジタル放送を受信できるデジタル受信手段を備え、複数チャンネルのＴＶ放送を受信することができるチューナセットと、
前記チューナセットの動作を制御する制御手段と、
前記デジタル受信手段の制御を行うためのデジタル制御プログラム及び地上波アナログ放送を受信するアナログ受信手段の制御を行うためのアナログ制御プログラムが記憶された制御プログラム記憶手段と、
表示手段とを有するＴＶ受像機において、
前記制御手段は前記チューナセットに起動信号を送信するとともに、前記チューナセットより応答信号が送信されたときは前記チューナセットに前記アナログ受信手段が備えられていると認識し、前記応答信号が送信されないときは前記チューナセットに前記アナログ受信手段を備えられていないと認識するものであり、
前記制御手段が前記チューナセットに前記アナログ受信手段を備えていると認識したときは、前記制御プログラム記憶手段より前記アナログ制御プログラム及び前記デジタル制御プログラムを読み出し、地上波アナログ放送の選局及び地上波デジタル放送の選局を行い、
前記チューナセットに前記アナログ受信手段を備えていないと認識したときには、前記制御プログラム記憶部より前記デジタル制御プログラムを読み出し、前記地上波デジタル放送の選局を行うことを特徴とするＴＶ受像機。
【請求項２】
少なくともデジタルＴＶ放送を受信できるデジタル受信手段を備え、複数チャンネルのＴＶ放送を受信することができるチューナセットを制御するＴＶ放送受信制御装置であって、
前記チューナセットにアナログＴＶ放送を受信することができるアナログ受信手段が備えられているかどうか検査し、前記アナログ受信手段が備えられていないことを確認すると、前記デジタルＴＶ放送の受信設定を行うことを特徴とするＴＶ放送受信制御装置。
【請求項３】
前記検査は前記チューナセットに起動信号を送信するとともに、前記チューナセットより応答信号が送信されたときは前記チューナセットに前記アナログ受信手段が備えられていると認識し、前記応答信号が送信されないときは前記チューナセットに前記アナログ受信手段を備えられていないと認識する動作であることを特徴とする請求項２に記載のＴＶ放送受信制御装置。
【請求項４】
前記ＴＶ放送受信制御装置は前記デジタル受信手段の制御を行うためのデジタル制御プログラム及び前記アナログ受信手段の制御を行うためのアナログ制御プログラムが記憶されている制御プログラム記憶手段を備えており、
前記デジタルＴＶ放送の受信設定時に前記デジタル制御プログラムを読み込むことを特徴とする請求項２又は請求項３に記載のＴＶ放送受信制御装置。
【請求項５】
前記アナログＴＶ放送は地上波アナログ放送であり、前記デジタルＴＶ放送は地上波デジタル放送であることを特徴とする請求項２から請求項４のいずれかに記載のＴＶ放送受信制御装置。
【請求項６】
前記デジタルＴＶ放送の受信設定は、選局、ＯＳＤ表示用画像データの読み出しを含むことを特徴とする請求項２から請求項５のいずれかに記載のＴＶ放送受信制御装置。
【請求項７】
少なくとも複数チャンネルのデジタルＴＶ放送を受信することができるデジタル受信手段を備えたチューナセットと、前記チューナセットを制御するための制御手段と、前記デジタル受信手段の制御を行うためのデジタル制御プログラム及び地上波アナログ放送を受信するアナログ受信手段の制御を行うためのアナログ制御プログラムが記憶された制御プログラム記憶手段とを有するＴＶ放送受信装置の制御方法であって、
前記ＴＶ放送受信装置の起動時に前記制御手段より前記チューナセットに前記アナログ受信手段が存在するかどうか確認するための確認信号を送信する確認信号送信工程と、
前記確認信号送信後、前記チューナセットが前記アナログ受信手段を備えている場合に限り前記チューナセットより前記制御手段に応答信号を送信する応答信号送信工程と、
前記制御手段が前記応答信号の受信を確認する応答信号確認工程と、
前記制御手段が前記応答信号確認工程で前記応答信号の受信を確認した後に行われ、前記制御手段が前記アナログ制御プログラムと前記デジタル制御プログラムの両方を前記制御プログラム記憶手段より読み出し、アナログＴＶ放送の受信設定及びデジタルＴＶ放送の受信設定を行う第１受信設定工程と、
前記制御手段が前記応答信号確認工程で前記応答信号の受信を確認できなかった後に行われ、前記制御手段が前記デジタル制御プログラムのみを前記制御プログラム記憶手段より読み出し、デジタルＴＶ放送の受信設定を行う第２受信設定工程とを有することを特徴とするＴＶ放送受信装置の制御方法。
【請求項８】
少なくともデジタルＴＶ放送を受信することができるデジタル受信手段を備え、複数チャンネルのＴＶ放送を受信することができるチューナセットと、前記チューナセットを制御するための制御手段とを有するＴＶ放送受信装置の制御方法であって、
前記ＴＶ放送受信装置の起動時に前記チューナセットにアナログＴＶ放送を受信するアナログ受信手段が備えられているか確認するアナログ確認工程と、
前記アナログ確認工程で、前記アナログ受信手段の存在が確認された場合、前記アナログＴＶ放送の受信設定及び前記デジタル放送の受信設定を行う第１受信設定工程と、
前記アナログ確認工程で前記アナログ受信手段の存在が確認できなかった場合、前記デジタルＴＶ放送の受信設定を行う第２受信設定工程とを有することを特徴とするＴＶ放送受信装置の制御方法。
【発明の詳細な説明】
【技術分野】
【０００１】
本発明は、ＴＶ放送を受信するＴＶ放送受信装置を備えたＴＶ受像機に関し、より詳しくは、ＴＶ放送受信装置に備えられたチューナを制御する制御装置及び制御方法に関するものである。
【背景技術】
【０００２】
現在、地上波を用いたＴＶ放送ではアナログ信号を送受信するアナログ地上波放送と、デジタル信号を送受信するデジタル地上波放送とが併用された、いわゆるＷ−チューナとなっている。地上波アナログ放送、地上波デジタル放送の両方を受信することができるＴＶ受像機、ＶＴＲ、ＤＶＤレコーダ等に内蔵されているＴＶ放送受信装置は少なくとも１つのアナログチューナと少なくとも１つのデジタルチューナとを備えている。
【０００３】
図３に従来のＴＶ放送受信装置の一例のＴＶ受信機のブロック図である。図３に示すＴＶ受信機Ｂは地上波アナログ放送及び地上波デジタル放送を受信することができるものであり、少なくとも、アンテナＡＮＴと、チューナセット９と、制御部２と、メモリ３と、制御プログラム記憶部４と、信号処理部５、５１、出力部６、６１と、表示部７と、操作入力部８とを備えている。
【０００４】
アンテナＡＮＴは地上波アナログ放送及び地上波デジタル放送の電波を復調することができるチューナセット９に接続されている。アンテナＡＮＴで受信された電波はチューナセット９に備えられているアナログチューナ９１或いはデジタルチューナ１１に送られる。
【０００５】
チューナセット９は地上波アナログ放送を受信することができるアナログチューナ９１と、地上波デジタル放送を受信することができるデジタルチューナ１１と、アナログチューナ９１及びデジタルチューナ１１との駆動を行うチューナコントローラ１２とを有している。チューナコントローラ１２は、制御部２から指示を受けて駆動するものであり、アナログチューナ１２及び（又は）デジタルチューナ１１の選局動作を制御したり、選局動作で得られたチャンネルを管理したりするものである。
【０００６】
アナログチューナ９１は、アンテナＡＮＴで受信された地上波アナログ放送の電波より地上波アナログ放送信号を選局するものである。デジタルチューナ１１は、アンテナＡＮＴで受信された地上波デジタル放送の電波より地上波デジタル放送信号を選局するものである。
【０００７】
メモリ３はＴＶ放送受信装置が保持している各種データを記憶する記憶媒体であり、例えば、読み出し専用のＲＯＭ（Ｒｅａｄ  Ｏｎｌｙ  Ｍｅｍｏｒｙ）、書込可能なＲＡＭ（Ｒａｎｄｏｍ  Ａｃｃｅｓｓ  Ｍｅｍｏｒｙ）等を備えている。前記各種データとして、地上波アナログ放送の放送局ごとの周波数データ、アナログ放送用のＯＳＤ表示画像データ、地上波デジタル放送の放送局ごとの周波数データ、デジタル放送用のＯＳＤ表示画像データ等を挙げることができる。
【０００８】
制御部２は、チューナセット９の駆動を制御するためのものである。制御部２は制御プログラム記憶部４に記憶されている制御プログラムに則ってチューナセット９を制御するものである。制御プログラム記憶部４は、制御部２に備えられるものであり、アナログチューナ９１を制御するためのアナログ制御プログラム及びデジタルチューナ１１を制御するためのデジタル制御プログラムが記憶されている。
【０００９】
アナログチューナ９１で選局された地上波アナログ放送信号は、信号処理部５１で復調され、表示部７に対応した信号形式になるように処理され、出力部６１を介して表示部７に送られる。出力部６１は信号処理部５１と表示部７とを接続するインターフェースである。信号処理部５１で復調された放送信号には、映像、音声、電子番組表（ＥＰＧ）等の情報が含まれている。
【００１０】
また、デジタルチューナ１１で受信された地上波デジタル放送信号は、信号処理部５で復調／誤り訂正され、コンテンツデータ（ＭＰＥＧ等）に変換され、出力部６を介して表示部に送られる。出力部６にはデジタルデータであるコンテンツデータをアナログに変換するＤ／Ａコンバータが内蔵されており、アナログ信号に変換されて表示部７に送られる。信号処理部５で復調された放送信号には、映像、音声、電子番組表（ＤＥＰＧ）、データ等の情報が含まれている。
【００１１】
ＴＶ放送受信装置では、起動と同時に、制御部２は制御プログラム記憶部４より、アナログチューナ９１及びデジタルチューナ１１の駆動・制御用のプログラムを読み出し、アナログチューナ９１を駆動して、地上波アナログ放送を受信するための受信設定動作が行われる。また、デジタルチューナ１１を駆動して地上波デジタル放送を受信するための受信設定動作も行われる。
【００１２】
地上波アナログ放送を受信するための受信設定は、選局動作、ＥＰＧ取得動作、所定の放送局より送られる時報を元に時間調整を行う時刻調整動作等のアナログ放送に特有の動作である。また、地上波デジタル放送を受信するための受信設定は、選局動作、ＤＥＰＧ取得動作、時刻調整動作等のデジタル放送に特有の動作である。
【００１３】
操作入力部８は、使用者が、ＴＶ受像機Ｂを操作するためのボタン群であり、図示は省略しているが、電源ボタン、選局ボタン、音量ボタン、入力切替ボタン等を有している。操作入力部８は制御部２に接続されているものであり、操作入力部８で入力された操作は制御部２に送られ、制御部２は入力された操作にあった制御を行う（特開２００５-１５９６８２号公報、特開２００６-９４３１７号公報等参照）。
【特許文献１】特開２００５-１５９６８２号公報
【特許文献２】特開２００６−９４３１７号公報
【発明の開示】
【発明が解決しようとする課題】
【００１４】
たとえば、日本国内において地上波アナログ放送は２０１１年にサービスが終了する予定であり、それにともなって、ＴＶ放送受信装置での地上波アナログ放送の受信は不要になる。地上波アナログ放送が終了した後は、ＴＶ放送受信装置にアナログチューナは必要ないので、前記アナログチューナは取り除かれる。
【００１５】
しかしながら、前記Ｗ−チューナ型のＴＶ放送受信装置の制御部２、チューナコントローラ１２、制御プログラムはまず、地上波アナログ放送を受信するための受信設定が行われるように形成されており、前記アナログチューナを取り除くだけでは、前記ＴＶ放送受信装置が正常に動作しない可能性もある。
【００１６】
そのため、前記ＴＶ放送受信装置は前記アナログチューナを備えない構成とされるとともに、地上波アナログ放送を受信するための受信設定を行わない新たな制御部２、チューナコントローラ１２、制御プログラムが必要である。新たに制御プログラムを作成するためには、多くの時間とコストが必要であり、前記アナログチューナを省いた構成であるにもかかわらず、製造コストが高くなる場合もありえる。
【００１７】
そこで本発明は、従来のアナログ・デジタルチューナを備えたＴＶ放送受信装置の制御部、チューナコントローラ、制御プログラムを大幅に変更せずに用いて、正確に制御することができるデジタルチューナのみを備えたＴＶ放送受信装置を提供することを目的とする。
【課題を解決するための手段】
【００１８】
上記目的を達成するため本発明は、少なくともデジタルＴＶ放送を受信できるデジタル受信手段を備え、複数チャンネルのＴＶ放送を受信することができるチューナセットを制御するＴＶ放送受信制御装置であって、前記チューナセットにアナログＴＶ放送を受信することができるアナログ受信手段が備えられているかどうか検査し、前記アナログ受信手段が備えられていないことを確認すると、前記デジタルＴＶ放送の受信設定を行うことを特徴とする。
【００１９】
この構成によると、従来用いられている、アナログＴＶ放送及びデジタルＴＶ放送を受信できるＴＶ放送受信装置に用いられるのと同じＴＶ放送受信制御装置を利用して、デジタルＴＶ放送受信専用のＴＶ放送受信装置の制御を行うことが可能である。
【００２０】
これによると、アナログＴＶ放送が終了した後に、デジタルＴＶ放送専用のＴＶ放送受信装置の制御装置を変更しなくてもよく、前記制御装置（制御プログラムを含む）を新たに設計しなくてもよい。このことにより、前記制御装置の設計、製造にかかるコストを削減することができる。
【００２１】
上記構成において、前記検査は前記チューナセットに起動信号を送信するとともに、前記チューナセットより応答信号が送信されたときは前記チューナセットに前記アナログ受信手段が備えられていると認識し、前記応答信号が送信されないときは前記チューナセットに前記アナログ受信手段を備えられていないと認識する動作するものとしてもよい。
【００２２】
上記構成において、前記ＴＶ放送受信制御装置は前記デジタル受信手段の制御を行うためのデジタル制御プログラム及び前記アナログ受信手段の制御を行うためのアナログ制御プログラムが記憶されている制御プログラム記憶手段を備えており、前記デジタルＴＶ放送の受信設定時に前記デジタル制御プログラムを読み込むものとしてもよい。
【００２３】
前記アナログＴＶ放送は地上波アナログ放送であり、前記デジタルＴＶ放送は地上波デジタル放送であってもよく、前記デジタルＴＶ放送の受信設定は、選局、ＯＳＤ表示用画像データの読み出しを含むものであってもよい。
【００２４】
本発明にかかるＴＶ放送受信制御装置を備えたものの一例として、以下に示すＴＶ受像機を挙げることができる。すなわち、少なくとも地上波デジタル放送を受信できるデジタル受信手段を備え、複数チャンネルのＴＶ放送を受信することができるチューナセットと、前記チューナセットの動作を制御する制御手段と、前記デジタル受信手段の制御を行うためのデジタル制御プログラム及び地上波アナログ放送を受信するアナログ受信手段の制御を行うためのアナログ制御プログラムが記憶された制御プログラム記憶手段と、表示手段とを有するＴＶ受像機において、前記制御手段は前記チューナセットに起動信号を送信するとともに、前記チューナセットより応答信号が送信されたときは前記チューナセットに前記アナログ受信手段が備えられていると認識し、前記応答信号が送信されないときは前記チューナセットに前記アナログ受信手段を備えられていないと認識するものであり、前記制御手段が前記チューナセットに前記アナログ受信手段を備えていると認識したときは、前記制御プログラム記憶手段より前記アナログ制御プログラム及び前記デジタル制御プログラムを読み出し、地上波アナログ放送の選局及び地上波デジタル放送の選局を行い、前記チューナセットに前記アナログ受信手段を備えていないと認識したときには、前記制御プログラム記憶部より前記デジタル制御プログラムを読み出し、前記地上波デジタル放送の選局を行うことを特徴とするＴＶ受像機。
【００２５】
上記目的を達成するため本発明は、少なくとも複数チャンネルのデジタルＴＶ放送を受信することができるデジタル受信手段を備えたチューナセットと、前記チューナセットを制御するための制御手段と、前記デジタル受信手段の制御を行うためのデジタル制御プログラム及び地上波アナログ放送を受信するアナログ受信手段の制御を行うためのアナログ制御プログラムが記憶された制御プログラム記憶手段とを有するＴＶ放送受信装置の制御方法であって、前記ＴＶ放送受信装置の起動時に前記制御手段より前記チューナセットに前記アナログ受信手段が存在するかどうか確認するための確認信号を送信する確認信号送信工程と、前記確認信号送信後、前記チューナセットが前記アナログ受信手段を備えている場合に限り前記チューナセットより前記制御手段に応答信号を送信する応答信号送信工程と、前記制御手段が前記応答信号の受信を確認する応答信号確認工程と、前記制御手段が前記応答信号確認工程で前記応答信号の受信を確認した後に行われ、前記制御手段が前記アナログ制御プログラムと前記デジタル制御プログラムの両方を前記制御プログラム記憶手段より読み出し、アナログＴＶ放送の受信設定及びデジタルＴＶ放送の受信設定を行う第１受信設定工程と、前記制御手段が前記応答信号確認工程で前記応答信号の受信を確認できなかった後に行われ、前記制御手段が前記デジタル制御プログラムのみを前記制御プログラム記憶手段より読み出し、デジタルＴＶ放送の受信設定を行う第２受信設定工程とを有する。
【００２６】
上記目的を達成するため本発明は、少なくともデジタルＴＶ放送を受信することができるデジタル受信手段を備え、複数チャンネルのＴＶ放送を受信することができるチューナセットと、前記チューナセットを制御するための制御手段とを有するＴＶ放送受信装置の制御方法であって、前記ＴＶ放送受信装置の起動時に前記チューナセットにアナログＴＶ放送を受信するアナログ受信手段が備えられているか確認するアナログ確認工程と、前記アナログ確認工程で、前記アナログ受信手段の存在が確認された場合、前記アナログＴＶ放送の受信設定及び前記デジタル放送の受信設定を行う第１受信設定工程と、前記アナログ確認工程で前記アナログ受信手段の存在が確認できなかった場合、前記デジタルＴＶ放送の受信設定を行う第２受信設定工程とを有する。
【発明の効果】
【００２７】
本発明によると、従来のアナログ・デジタルチューナを備えたＴＶ放送受信装置の制御部、チューナコントローラ、制御プログラムを大幅に変更せずに用いて、正確に制御することができるデジタルチューナのみを備えたＴＶ放送受信装置を提供することができる。
【発明を実施するための最良の形態】
【００２８】
以下に本発明の実施形態を図面を参照して説明する。図１はデジタルＴＶ放送受信装置の一例であるＴＶ受像機のブロック図である。図１に示すＴＶ受像機Ａは、図３に示すＴＶ受像機から、アナログチューナ９１、信号処理部５１、出力部６１を取り除いた構成を有する地上波デジタル放送を受信することのできるＴＶ受像機であり、実質上同じ部分には同じ符号が付してある。
【００２９】
ＴＶ受像機Ａは、アンテナＡＮＴと、チューナセット１と、制御部２と、メモリ３と、制御プログラム記憶部４と、信号処理部５と、出力部６と、表示部７と、操作入力部８とを備えている。
【００３０】
アンテナＡＮＴは地上波デジタル放送の電波を受信するものである。アンテナＡＮＴはチューナセット１に接続されており、アンテナＡＮＴで受信された電波はチューナセット１に送られる。チューナセット１はデジタルチューナ１１と、デジタルチューナ１１を駆動するチューナコントローラ１２とを有している。
【００３１】
デジタルチューナ１１は、アンテナで受信された地上波デジタル放送の電波より地上波デジタル放送信号の選局を行うものである。チューナコントローラ１２は、制御部２から指示を受けて駆動するものであり、デジタルチューナ１１の選局動作を制御したり、選局動作で得られたチャンネルを管理したりするものである。
【００３２】
メモリ３はＴＶ放送受信装置が保持している各種データを記憶する記憶媒体であり、例えば、読み出し専用のＲＯＭ（Ｒｅａｄ  Ｏｎｌｙ  Ｍｅｍｏｒｙ）、書込可能なＲＡＭ（Ｒａｎｄｏｍ  Ａｃｃｅｓｓ  Ｍｅｍｏｒｙ）等を備えている。前記各種データとして、放送局ごとの周波数データ、ＯＳＤ表示画像データ、ＥＰＧデータ等を挙げることができる。
【００３３】
制御部２は、チューナセット１の駆動を制御するためのものであり、ＣＰＵやマイコン等の演算処理装置を備えている。制御部２とチューナセット１とは、それには限定されないが、ここでは、Ｉ２Ｃバスと呼ばれるインターフェースを介して接続されている。
【００３４】
制御部２は制御プログラム記憶部４に記憶されている制御プログラムに則ってチューナセット１を制御するものである。制御プログラム記憶部４は制御部２に備えられる記憶装置であり、チューナセット１を制御するためのデジタル制御プログラムが記憶されている。制御プログラム記憶部４として、読み出し専用のＲＯＭを備えているものを挙げることができる。制御プログラム記憶部４は、図３に示すＴＶ受像機Ｂに用いられているものと同じものであり、アナログチューナを制御するためのアナログ制御プログラムも記憶されている。
【００３５】
デジタルチューナ１１で受信された地上波デジタル放送信号は、信号処理部５で復調／誤り訂正され、コンテンツデータ（ＭＰＥＧ等）に変換され、出力部６を介して表示部に送られる。出力部６にはデジタルデータであるコンテンツデータをアナログに変換するＤ／Ａコンバータが内蔵されており、アナログ信号に変換されて表示部７に送られる。表示部７として、例えば、ＣＲＴ、液晶パネル、プラズマディスプレイパネル等の映像表示部を挙げることができる。信号処理部５で復調された放送信号には、映像、音声、電子番組表（ＤＥＰＧ）、データ等の情報が含まれている。
【００３６】
ＴＶ受像機では、起動と同時に、デジタルチューナ１１を駆動して地上波デジタル放送を受信するための受信設定動作が行われる。地上波デジタル放送を受信するための受信設定は、選局動作、ＤＥＰＧ取得動作、時刻調整動作等のデジタル放送に特有の動作である。
【００３７】
操作入力部８は、使用者が、ＴＶ受像機Ａを操作するためのボタン群であり、図示は省略しているが、電源ボタン、選局ボタン、音量ボタン、入力切替ボタン等を有している。操作入力部８は制御部２に接続されているものであり、操作入力部８で入力された操作は制御部２に送られ、制御部２は入力された操作にあった制御を行う。
【００３８】
図２に本発明にかかるＴＶ受像機の受信設定動作の一例のフローチャートを示す。操作入力部８からの入力を受けて、ＴＶ受像機Ａは起動する（ステップＳ１１）。ＴＶ受像機Ａが起動すると制御部２に電力が供給され、制御部２がＩ２Ｃバスを介してチューナコントローラ１２に起動信号が送信される（ステップＳ１２）。
【００３９】
制御部２はチューナコントローラ１２からＡＣＫと呼ばれる応答信号が出力されるかどうか判断する、すなわち、制御部２はＡＣＫ信号の受信をチェックする（ステップＳ１３）。ＡＣＫ信号とはチューナセット１にアナログチューナ９１が含まれている場合、チューナコントローラ１２より制御部２に送られる起動信号に対する応答信号である。
【００４０】
つまり、制御部２はＡＣＫ信号を受信した場合（ステップＳ１３でＹＥＳの場合）、チューナセット１にアナログチューナ９１が備えられている構成（図３に示すＴＶ受像機Ｂの構成）であると認識し、ＡＣＫ信号を受信しない場合（ステップＳ１３でＮＯの場合）、チューナセット１にデジタルチューナ１１のみが備えられている構成（図１に示すＴＶ受像機Ａの構成）であると認識する。
【００４１】
制御部２がＡＣＫ信号を受信した場合（ステップＳ１３でＹＥＳの場合）、制御部２は制御プログラム記憶部４よりアナログ制御プログラム及びデジタル制御プログラムを読み出す（ステップＳ１４）。このとき、制御部２はメモリ３に記録されている地上波アナログ放送及び地上波デジタル放送に対応した放送局ごとの周波数データ、ＯＳＤ表示画像データ等の受信設定に必要なデータを読み出す（ステップＳ１４）。
【００４２】
制御部２はアナログ制御プログラムをもとに、地上波アナログ放送を受信するための受信設定（選局、ＥＰＧ取得、ＯＳＤの準備等）を行う（ステップＳ１５）。また、地上波アナログ放送の受信設定が終了した後に、地上波デジタル放送を受信するための受信設定（選局、ＤＥＰＧ取得、ＯＳＤの準備）を行う（ステップＳ１６）。以上のようにして図３に示すチューナセット９にアナログチューナ９１及びデジタルチューナ１１が備えられたＴＶ受像機の起動制御は終了する。
【００４３】
図１に示すデジタルチューナ１１のみを備えたＴＶ受像機Ａの場合、制御部２は所定時間待機した後にＡＣＫ信号を受信できない場合（ステップＳ１３でＮＯの場合）、制御部２はＡＣＫ信号が受信されなかったものと判断し、チューナセット１がアナログチューナ９１を備えていないと認識する。そして、制御部２は制御プログラム記憶部４より、デジタル制御プログラムを読み出す（ステップＳ１７）。
【００４４】
その後、地上波デジタル放送を受信するための受信設定（選局、ＤＥＰＧ取得、ＯＳＤの準備）を行う（ステップＳ１６）。以上のようにして、図１に示す、チューナセット１にデジタルチューナ１１のみが備えられたＴＶ受像機Ａの起動制御は終了する。
【００４５】
このように、チューナセット１がアナログチューナ９１とデジタルチューナ１１とを備えているＴＶ受像機Ｂ及びチューナセット１がデジタルチューナのみを備えているＴＶ受像機Ａで、共通の制御部２、チューナコントローラ１２、制御プログラム記憶部４及び制御プログラム記憶部４に記憶されている制御プログラムを用いて動作させることが可能であり、それぞれのＴＶ受像機Ａに別途設計、作成する必要がないのでそれだけ、コストを低減することが可能である。
【００４６】
上記実施例ではＴＶ放送受信装置の一例としてＴＶ受像機を例に説明しているが、それに限定されるものではなく、ＤＶＤプレーヤ、ＤＶＤレコーダ、ＶＴＲ等ＴＶ放送を受信することができるものに広く採用することが可能である。
【００４７】
以上、発明の実施形態を具体的に説明したが、本発明は上記実施形態に限定するものではなく、その要旨を逸脱しない範囲で種々変更可能である。各実施形態に記載した特徴のうち複数を備えていてもよい。
【産業上の利用可能性】
【００４８】
本発明は、ＴＶ放送を受信することができるＴＶ放送受信装置において適用することができる。
【図面の簡単な説明】
【００４９】
【図１】本発明にかかるＴＶ受像機のブロック図である。
【図２】本発明にかかるＴＶ放送受信装置の制御方法を示すフローチャートである。
【図３】従来のＴＶ受像機のブロック図である。
【符号の説明】
【００５０】
１  チューナセット
１１  デジタルチューナ
１２  チューナコントローラ
２  制御部
３  メモリ
４  制御プログラム記憶部
５、５１  信号処理部
６、６１  出力部
７  表示部
８  操作入力部
９  チューナセット
９１  アナログチューナ
【図１】
2008131263.tif 000003
【図２】
2008131263.tif 000004
【図３】
2008131263.tif 000005